(57)【要約】簡単に言うと、ワイヤレス通信装置（２００）は、同報通信チャネルと順方向パイロット信号とを受信する、受信機フィンガのような少なくとも１つの受信機チャネル要素（２１２）を含む。ワイヤレス通信装置（２００）はまた、適切にプログラムされた処理装置のような、非同報通信チャネルが当初捕捉可能かどうかを判定する非同報通信チャネル捕捉モジュール（２１６）を含む。非同報通信チャネルが捕捉できない場合には、非同報通信チャネル捕捉モジュール（２１６）は、非同報通信チャネルに関連する順方向パイロット信号が許容可能な品質であるかどうか判定する。これは、例えば、パイロット信号のエネルギー準位および受信情報のシンボル誤り率、または他の適切な基準に基づくことができる。非同報通信チャネル捕捉モジュール（２１６）はまた、予め定められたタイムアウト期間に先立ち、順方向パイロット信号が許容可能な品質である場合には、ＢＴＳのような送信機に対して、非同報通信チャネルの送信電力を増加して、非同報通信チャネル捕捉を容易化するように知らせる。このため、ワイヤレス通信装置は、複数の許容可能な連続するフレームを受信するために、予め定められたタイムアウト期間待つ必要がない。
2004538668.tif 000002
【特許請求の範囲】
【請求項１】
少なくとも１つの移動局と、少なくとも１つの基地局とを含むワイヤレス・スペクトラム拡散通信システムにおいて、非同報通信チャネルを捕捉する方法であって：
前記非同報通信チャネルが、前記移動局により捕捉可能かどうか判定する段階；
前記非同報通信チャネルが捕捉できない場合には、前記非同報通信チャネルに関連する順方向パイロット信号が、許容可能な品質であるかどうか判定する段階；および
前記順方向パイロット信号が、許容可能な品質である場合には、前記基地局に、前記非同報通信チャネルの送信電力を増加して非同報通信チャネルの捕捉を容易化するように通知する段階；
によって構成されることを特徴とする方法。
【請求項２】
前記非同報通信チャネルが、前記移動局により捕捉可能かどうか判定する段階は、複数の許容可能な非同報通信チャネル・フレームが、前記移動局により検出されたかどうか判定する段階より成ることを特徴とする請求項１記載の方法。
【請求項３】
請求項１記載の方法であって、前記非同報通信チャネルが、捕捉可能かどうか判定する段階の前に、前記順方向パイロット信号を評価する段階を含み、前記順方向パイロット信号が、許容可能な品質であるかどうか判定する段階は、許容可能な数の非同報通信チャネル・フレームが検出されていない場合に、前記順方向パイロット信号の前記品質を再チェックする段階より成ることを特徴とする方法。
【請求項４】
前記基地局に、送信電力を増加するように通知する段階は、前記順方向パイロット信号の前記品質の再チェックに基づいて、少なくとも１つの電力制御ビットを、逆パイロット・チャネルを介して送出することによって、非同報通信チャネル送信電力制御情報を、前記基地局に送出する段階より成ることを特徴とする請求項３記載の方法。
【請求項５】
前記順方向パイロット信号の前記品質は、パイロット・エネルギーの測定値および受信シンボル誤り率のうち少なくとも１つに基づくものであることを特徴とする請求項１記載の方法。
【請求項６】
ワイヤレス・スペクトラム拡散信号を受信する通信装置であって：
非同報通信チャネルと順方向パイロット信号とを受信する少なくとも１つの受信機チャネル要素；および
前記受信された非同報通信チャネルに応答可能であり、前記非同報通信チャネルが捕捉可能であるかを判定するために動作可能な非同報通信チャネル捕捉モジュールであって；前記非同報通信チャネルが捕捉できない場合には、前記非同報通信チャネルに関連する前記順方向パイロット信号が、許容可能な品質であるか判定するように動作可能であり；前記順方向パイロット信号が許容可能な品質である場合には、前記非同報通信チャネルの送信電力を増加して非同報通信チャネルの捕捉を容易化するように送信機に通知するように動作可能である非同報通信チャネル捕捉モジュール；
によって構成されることを特徴とする通信装置。
【請求項７】
前記非同報通信チャネル捕捉モジュールは、複数の連続する許容可能な非同報通信チャネル・フレームが検出されたかどうか判定することによって、前記非同報通信チャネルが捕捉可能かどうか判定することを特徴とする請求項６記載の通信装置。
【請求項８】
前記非同報通信チャネル捕捉モジュールは、前記非同報通信チャネルが捕捉可能かどうか判定する段階の前に、前記順方向パイロット信号を評価し、許容可能な数の非同報通信チャネル・フレームが検出されなかった場合には、前記順方向パイロット信号の前記品質を再チェックすることを特徴とする請求項６記載の通信装置。
【請求項９】
請求項８記載の通信装置であって：
非同報通信チャネル送信電力制御情報を含むメモリ；および
前記非同報通信チャネル捕捉モジュールと、前記メモリとに動作可能に結合され、前記順方向パイロット信号の前記品質を再チェックする前記非同報通信チャネル捕捉モジュールに基づき、少なくとも１つの電力制御ビットを、逆パイロット・チャネルを介して送出することによって、前記非同報通信チャネル送信電力制御情報を送出するように動作可能な送信機；
によって構成されることを特徴とする通信装置。
【請求項１０】
前記順方向パイロット信号の前記品質は、パイロット・エネルギーの測定値および受信シンボル誤り率のうち少なくとも１つに基づくものであることを特徴とする請求項６記載の通信装置。
【発明の詳細な説明】
【０００１】
（同時係属出願の相互参照）
本出願は、「受信機フィンガの割当を変更する方法および装置」と題され、発明者をＤｉｎｏ等とし、共通の譲受人により所有され、同一日に出願され、ここに参考資料として包含される代理人事件番号ＣＥ０８４１３Ｒ，出願番号第０９／５５２，０９３号の同時係属出願に関連する。
【０００２】
（産業上の利用分野）
本発明は、一般に、デジタル・ワイヤレス通信システムに関し、さらに詳しくは、符号分割多元接続（ＣＤＭＡ）通信システムにおいて、チャネルを捕捉する方法と装置に関する。
【０００３】
（従来の技術）
例えば、一般に第３世代パートナーシップ２として知られる３ＧＰＰＳ Ｃ．Ｓ００００２―Ａ（ＣＤＭＡ２０００）およびＩＳ９５ ＴＩＡ／ＥＩＡ−９５Ｂデュアルモード・スペクトラム拡散通信システムの移動局−基地局適合標準（Ｍｏｂｉｌｅ Ｓｔａｔｉｏｎ−Ｂａｓｅ Ｓｔａｔｉｏｎ Ｃｏｍｐａｔｉｂｉｌｉｔｙ Ｓｔａｎｄａｒｄ ｆｏｒ Ｄｕａｌ−Ｍｏｄｅ Ｓｐｒｅａｄ Ｓｐｅｃｔｒｕｍ Ｓｙｓｔｅｍｓ）に記載されるようなワイヤレス・スペクトラム拡散通信システムまたは他の適切な通信システムは一般に、非同報通信（ｎｏｎ−ｂｒｏａｄｃａｓｔ）チャネルを適切に捕捉して、音声，データまたは他の情報を、移動局，基地局無線装置（ＢＴＳ）または他の送信機との間で通信できるようにするために移動局を必要とする。非同報通信チャネルは、トラヒック・チャネル，制御チャネル，または他の移動局に同報通信されない他のチャネルを含む。一般に、無線電話，インターネット家電（Ｉｎｔｅｒｎｅｔ Ａｐｐｌｉａｎｃｅ），ラップトップ・コンピュータまたは他の適切な通信装置のような移動局は最初に、それらが１つまたは複数のＢＴＳから受信する同報通信パイロット・チャネルの捕捉を試みる。ついで、同期チャネルが一般に、ＢＴＳにより送信され、移動局により受信される。さらに、オーバヘッド・ページング・メッセージ（ｏｖｅｒｈｅａｄ ｐａｇｉｎｇ ｍｅｓｓａｇｅ）が、ＢＴＳにより、ページング・チャネルを介して通信され、移動局によって受信される。移動局はついで、発信（ｏｒｉｇｉｎａｔｉｏｎ）メッセージをＢＴＳに送出でき、その後、ＢＴＳは、ページング・チャネルを介して、チャネル割当メッセージを移動局に送出する。このチャネル割当メッセージは、ウォルシュ符号またはその他の適切な拡散符号情報のような割り当てられたチャネルを含む。移動局はついで、チャネル割当メッセージに基づいて、割り当てられた非同報通信チャネル（例：トラヒック・チャネル）を適切に捕捉することを試みる。したがって、非同報通信チャネルへの移行は一般に、チャネル割当メッセージの後に発生する。一般に、トラヒック・チャネルへの移行は、少なくとも３つの同時タスクを必要とする。
【０００４】
例えば、移動局は、割り当てられたチャネルに対して、復号器と合成器とを備え、トラヒック・フレームを待たなければならない。復号器は、複数のレイク受信機フィンガを含むことができる。探索受信機（ｓｅａｒｃｈｅｒ ｒｅｃｅｉｖｅｒ）のようなサーチャは、割り当てられたトラヒック・チャネルのピーク・エネルギーを見つけて、当該情報をフィンガ管理実体に与え、これは、ウォルシュ符号のような、割り当てられたトラヒック・チャネルの拡散符号を、既存の順方向パイロット・チャネルに対して既にロックされた受信機フィンガに割り当てる。サーチャは、順方向パイロット信号内の最良のピークを検出し、ついで、検出ピーク情報を、受信機フィンガを割り当てるフィンガ管理実体に渡して、良好なピークにロックする。しかしながら、順方向パイロット・エネルギーは良好なピークを示すほど十分に高いかもしれないが、ＢＴＳからのトラヒック・チャネル・エネルギーが低すぎる可能性があるので、受信機フィンガが、指令された信号にロックできるようになる以前に、移動局は良好なフレームを受信できないかもしれない。しかしながら、既存のシステムは、上記その他の問題に対応するために、非同報通信チャネル（トラヒック・チャネルおよび制御チャネルなど）捕捉技術を取り入れることを試みていない。その代わり、従来型システムは一般に、許容不能な捕捉フレームがなぜ受信されたかを判断せず、その代わり、移動局が、設定されたタイムアウト期間（その時間が過ぎると、移動局は、パイロット・チャネル捕捉状態に回帰する）を待つことのみを移動局に要求する。さらに、移動局は、逆パイロット信号のＢＴＳへの送信を開始する。移動局が、割り当てられたトラヒック・チャネルまたは制御チャネルに移行するとき、移動局は一般に、割り当てられたチャネルを介したＢＴＳと移動局との間の通信が定常であることを確認する必要がある。ＩＳ９５−セクション６．６．４．２によれば、移動局が、２００ミリ秒の待ち時間以内に、２つの連続トラヒック・チャネル・フレームを受信する場合に、これが発生する。移動局が、２つの連続する良好なフレームを受信しない場合には、２つの連続する良好なフレームを２００ミリ秒間待ち続け、ついで、順方向パイロット・チャネル準捕捉状態（ｓｕｂｓｔａｔｅ）に戻る。
【０００５】
しかしながら、予め定められた待ち時間以内で複数の連続する良好なフレームを待つことは、非同報通信チャネルを捕捉するのに、不必要に時間を無駄にするおそれがある。さらに、高速閉ループ送信電力制御方式を使用するＣＤＭＡ２０００型のシステムでは、順方向パイロット信号エネルギーが、正確にトラヒック・チャネル・エネルギーを表さない可能性がある。高速閉ループ電力制御方式は一般に、ＢＴＳが、移動機に対して、送信電力を増加または低減するように指令できるようにするとともに、移動機が、ＢＴＳに送信電力を増加または低減するように知らせることを可能にする。このような閉ループ電力制御方式は、例えば、ダウンリンク電力を１秒間に何百回も調整することを可能にする。このため、パイロット・エネルギーの測定は、高速閉ループ電力制御によって引き起こされる高速度のエネルギーの変化によって、トラヒック・チャネルのエネルギーまたは制御チャネル・エネルギーを正確に表さなくなる可能性がある。例えば、移動局が、電力制御ビット（ＰＣＢ）のような送信電力制御情報を、１．２５ミリ秒ごとに基地局に送出する場合には、この制御情報は、基地局に対して、特定のトラヒック・チャネルのトラヒック・チャネル電力を極めて頻繁に増加または低減するように要求する可能性がある。
【０００６】
このため、チャネルを捕捉する待ち時間を適切に短縮する非同報通信チャネル捕捉方法とワイヤレス通信装置に対する必要性が存在する。さらに、かかる方法と装置が、良好な非同報通信チャネル・フレームが受信されなかった理由を判定できれば望ましい。
【０００７】
（好適な実施例の説明）
簡単に言うと、ワイヤレス通信装置は、非同報通信チャネルと順方向パイロット信号とを受信する受信機フィンガのような少なくとも１つの受信機チャネル要素（ｒｅｃｅｉｖｅｒ ｃｈａｎｎｅｌ ｅｌｅｍｅｎｔ）を含む。このワイヤレス通信装置はまた、非同報通信チャネルが当初、捕捉可能かどうかを判定する、適切にプログラムされた処理装置のような非同報通信チャネル捕捉モジュールも含む。非同報通信チャネルが捕捉できない場合には、非同報通信チャネル捕捉モジュールは、非同報通信チャネルに関連する順方向パイロット信号が、許容可能な品質であるかどうかを判定する。これは、例えば、パイロット信号のエネルギー準位および受信情報のシンボル誤り率、または他の適切な基準に基づいて行うことができる。非同報通信チャネル捕捉モジュールはまた、順方向パイロット信号が許容可能な品質である場合には、ＢＴＳのような送信機に、非同報通信チャネルの送信電力を増加して、所定の時間が経過する前に、非同報通信チャネル捕捉を容易化するように知らせる。したがって、ワイヤレス通信装置は、複数の連続フレームを受信するために、所定時間の経過を待つ必要はないが、その代わり、送信電力制御情報を送信機に送出して、非同報通信チャネル捕捉手順の間、電力送信を増加するように要求できる。
【０００８】
また、不良の受信フレームの検出に応答して、非同報通信チャネル捕捉の待ち時間を短縮する段階を含む方法も開示される。この方法は、例えば、受信機フィンガのような受信機チャネル要素が、不良フレームの検出後、順方向パイロット信号に対して依然ロックされているかどうかを判定し、受信機チャネル要素が、順方向パイロット信号に対して依然ロックされている場合には、パイロット・エネルギーが許容可能であることを検出することによって実施することができる。不良フレームが依然検出される場合には、この方法は、基地送信局なのような送信機に対して、割り当てられたチャネルの送信電力を増加して、チャネル捕捉手順の間、チャネル捕捉を容易化するように知らせる段階を含む。
【０００９】
図１は、符号分割多元接続（ＣＤＭＡ）通信システム１００のようなスペクトラム拡散通信システムを示し、これは、基地局１０４ａから１０４ｎとして示される１つまたは複数の基地局無線装置と通信可能な移動局１０２ａから１０２ｎを含む。ＣＤＭＡ通信システム１００は、スペクトラム拡散信号を送受信する。例示のためであって制限することを意図せず、本発明は、例えば、”Ｐｈｙｓｉｃａｌ Ｌａｙｅｒ Ｓｔａｎｄａｒｄ ｆｏｒ ＣＤＭＡ２０００ Ｓｐｒｅａｄ Ｓｐｅｃｔｒｕｍ Ｓｙｓｔｅｍｓ”（３ＧＰＰ２  Ｃ．Ｓ０００２−Ａ）バージョン５５と題され、ｗｗｗ．３ｇｐｐ２．ｏｒｇで入手可能であって、ここに参考資料として包含される仕様の中に記載されるようなＣＤＭＡ２０００セルラ・システムを参照して説明されよう。しかしながら、当業者は、本発明の方法と装置が、任意の適切なスペクトラム拡散システムに適用可能であることを認識しよう。例として、移動局１０２ａは、音声／データ同時モードで動作できる。したがって、１つまたは複数の基地局１０４から１０４ｎは、同報通信順方向パイロット・チャネル情報および非同報通信チャネル情報（例：トラヒック・チャネルおよび専用制御チャネル）を移動局１０２ａに伝達することができる。
【００１０】
基地局１０４ａから１０４ｎは、スペクトラム拡散信号を送受信できる基地局無線装置（ＢＴＳ）または他の任意の適切な基地局とすることができる。移動局１０２ａは、複数の基地局１０４ａから１０４ｎと、ダウンリンク（順方向リンク）通信１０６ａから１０６ｎを介して通信でき、このダウンリンク通信は、同報通信パイロット・チャネル，複数のトラヒック・チャネル，専用制御チャネルまたは他の任意の適切な情報を含むことができる。移動局１０２も同様に、アップリンク通信１０８ａから１０８ｎを介して、１つまたは複数の基地局１０４ａから１０４ｎと通信する。他の移動局もまた、技術上知られるように、１つまたは複数の基地局と通信できる。
【００１１】
移動局１０２ａは、本発明による非同報通信チャネル捕捉手順を実行する。例えば、移動局１０２ａは、受信機フィンガが、適切な順方向パイロット・チャネルに対してロックされているときに、不良フレームを受信したかどうかを判定する。これは、例えば、パイロット・エネルギーは十分であるかもしれないが、非同報通信チャネル情報が許容不能であることを意味する。この例では、移動局は、該当する基地局に対して、割り当てられた非同報通信チャネルの送信電力を増加するように知らせる。移動局が不良フレームを受信し、受信機フィンガのような、関連する受信機チャネル要素が、適切な順方向パイロット・チャネルに対してロックされていない場合には、移動局は、以下に詳述するように、パイロット・チャネル準捕捉状態に戻る。
【００１２】
図２は、ワイヤレス・スペクトラム拡散信号２０２を受信する、移動局のようなワイヤレス通信装置２００の１例を示すブロック図である。このワイヤレス通信装置２００は、受信機部２０４と送信機部２０６とを含む。受信機部２０４は、無線周波数復調器段２０８，パイロット・サーチャ２１０（探索受信機），レイク受信機フィンガのような複数の受信機チャネル要素２１２，合成器２１４，非同報通信チャネル捕捉モジュール２１６および復号器２１８を含む。
【００１３】
無線周波数復調器段２０８は、技術上知られるような従来型復調を、スペクトラム拡散信号２０２に対して実施し、専用制御チャネル，１つまたは複数のトラヒック・チャネルおよびパイロット・チャネルのような受信スペクトラム拡散信号のデジタル出力を与える。このデジタル出力情報は一括して、受信チャネル情報２２０として示される。
【００１４】
当該技術分野で知られている探索受信機のようなパイロット・サーチャ２１０は、パイロット信号内のエネルギー・ピークを探索して、当該技術分野で知られるように、エネルギー準位と位相情報を示すパイロット信号エネルギー・プロファイル（ｐｒｏｆｉｌｅ）を取得するように動作する。パイロット・サーチャ２１０は、Ｅｃ／Ｉｏのようなパイロット・エネルギー２２２を生成して、当該技術分野で知られるように、パイロット・エネルギー／時間プロファイルを取得する。これは、例えば、１チップ当たりの信号（ｅｎｅｒｇｙ ｐｅｒ ｃｈｉｐ）を表示することもできる。パイロット・サーチャ２１０は、パイロット信号位相情報と受信機チャネル要素サンプル・ウインドウとを判定して、サーチャ２１０により検出されるパイロット・エネルギー・ピーク・ウインドウに基づき、受信ウインドウ内に受信機チャネル要素２１２を割り当てるように動作する。
【００１５】
受信機チャネル要素２１２は、技術上知られるように、複数のレイク受信機とすることができ、これらは、適切な制御論理（図示せず）から制御信号を受信して、各受信機チャネル要素を制御して、指定された時間枠の間に、スペクトラム拡散信号を受信する。各受信機チャネル要素２１２は、受信シンボル情報２２４ａ，２２４ｂをそれぞれ生成し、これらは、Ｅｓ／Ｉｏｒで表される１シンボル当たりの入力エネルギー対妨害波電力比（ｅｎｅｒｇｙ ｐｅｒ ｓｙｍｂｏｌ ｐｅｒ ｉｎｃｉｄｅｎｔ ｒｅｃｅｉｖｅｄ ｎｏｉｓｅ ｐｏｗｅｒ）のようなチャネル単位の受信シンボル・エネルギーを含む。各受信機チャネル要素２１２は、必要であれば、所与の基地局から複数のチャネルを受信できる。種々の基地局から受信された各スペクトラム拡散信号２０２は、異なる速度のスペクトラム拡散情報を含むことができ、例えば、基本チャネルと見なすことができる１つのトラヒック・チャネルは、音声送信のために使用でき、データ転送に使用できる補助チャネルよりも低速度で情報を伝達できる。受信されたチャネル情報２２４ａ，２２４ｂも、技術上知られるような相関サンプル（ｃｏｒｒｅｌａｔｅｄ ｓａｍｐｌｅｓ）を含む。合成器２１４は、技術上知られるように、種々の受信機チャネル要素からの出力を適切に合成して、復号器２１８に対する情報２２６として表されるシンボル速度で、合成されたサンプル出力／チャネルを提供する。復号器２１８は、技術上知られるようにビタビ復号器、または他の適切な復号器とすることができる。
【００１６】
非同報通信チャネル捕捉モジュール２１６は、マイクロプロセッサ，ＤＳＰ，ステート・マシン（ｓｔａｔｅ ｍａｃｈｉｎｅ），あるいはハードウェア，ソフトウェア，ファームウェアの他の適切な組み合わせのような、適切にプログラムされた処理装置とすることができる。かかる処理装置は、例えば、合成器２１４，ビタビ復号器２１８または必要であれば受信機内の他の適切な機能のために必要な動作を実施することができる。非同報通信チャネル捕捉モジュール２１６は、パイロット・エネルギー２２２を受け取り、かつ、合成されたサンプル出力／チャネル２２６を受け取って、非同報通信チャネル性能と捕捉メトリクス（ｍｅｔｒｉｃｓ）を生成する。非同報通信チャネル捕捉モジュール２１６は、この情報を使用して、パイロット信号および／または非同報通信チャネルが、復調するのに十分な品質であるかどうか判定する。非同報通信チャネル捕捉モジュール２１６は、チャネル捕捉制御データ２３０を生成し、このデータは、送信側ＢＴＳのような送信機に対して、割り当てられた非同報通信チャネルの送信電力を増加して、非同報通信チャネル捕捉を容易化するように知らせるのに用いられる。
【００１７】
一実施例にあっては、チャネル捕捉制御データ２３０は、メモリ２３４内に格納される電力制御ビットのような送信電力制御情報２３２の送信を要求し、受信機２０４が捕捉を試みている、割り当てられた非同報通信チャネルを送信する送信機段２０６によって、基地局に送信されるよう要求するのに使用される。
【００１８】
送信機段２０６は、無線周波数（ＲＦ）送信機２３６，ディジタル・アナログ変換機２３８，送信制御論理およびデータ・フォーマッタ（ｆｏｒｍａｔｔｅｒ）２４０，および符号器２４２を含む。技術上知られるように、符号器２４２は、ＲＦ送信機２３６から送信するための送信データ２４４を受信する。送信制御論理およびデータ・フォーマッタ２４０は、技術上知られるように、アナログ利得制御信号２５０を介して、ＲＦ送信機２３６を適切に制御し、かつ、所与のシステムのプロトコル要求条件により適宜必要とされる適切なデータ・フォーマッティングを提供する。送信制御論理およびデータ・フォーマッタ２４０は、フォーマットされたデータと、デジタル利得制御情報２５２とを出力して、技術上知られるように、ディジタル・アナログ変換機２３８の利得を制御し、かつ、送信電力制御情報２３２を出力して、通信装置２００と、基地局のような関連送信機との間の高速閉ループ電力制御を提供する。
【００１９】
各受信機チャネル要素は、技術上知られるように、非同報通信チャネルと順方向パイロット信号とを受信する。非同報通信チャネル捕捉モジュールは、非同報通信チャネルが当初捕捉可能かどうかを判定する。これは、波形が正確に復調できるかどうか判定するために、受信された順方向パイロット信号と非同報通信チャネルの両方の品質を測定することによって実施され、これらの測定は、受信シンボル・エネルギー対妨害波電力比（ｒａｔｉｏ ｏｆ ｒｅｃｅｉｖｅｄ ｓｙｍｂｏｌ ｅｎｅｒｇｙ ｔｏ ｉｎｃｉｄｅｎｔ ｎｏｉｓｅ ｐｏｗｅｒ），復調シンボルの誤り率などを含むが、これらに限定されない。非同報通信チャネルが捕捉できない場合には、非同報通信チャネル捕捉モジュール２１６は、割り当てられた非同報通信チャネルに関連する順方向パイロット信号が、許容可能な品質であるかどうかを判定する。品質は、パイロット・エネルギー情報２２２と、情報２２６から判定されるシンボル誤り率とに基づいて判定される。シンボル誤り率は、ビタビ復号器２１８によって判定され、この復号器は、技術上知られるように、入力信号の変調が、所望の波形からどの程度逸脱しているかを測定する距離メトリックを実際に算出する。順方向パイロット信号が、パイロット・エネルギー準位および／またはシンボル誤り率または他の適切な基準に基づき、許容可能な品質である場合には、非同報通信チャネル捕捉モジュール２１６は、基地局に対して、非同報通信チャネルの送信電力を増加して、非同報通信チャネル捕捉を容易化するように知らせる。基地局は、チャネル捕捉制御データ２３０を介して、送信電力を増加するように知らされる。送信機段２０６は、送信機制御論理２４０によるチャネル捕捉制御データ２３０の受信に応答して、例えば、少なくとも１つの電力制御ビットを、逆パイロット・チャネルに送出することにより、非同報通信チャネル送信電力制御情報２３２を送出する。非同報通信チャネル捕捉モジュール２１６は、要求はされないが、不良のチャネル・フレームを検出後、およびその前にパイロット・チャネルにロックされた後は、順方向パイロット信号の品質を最初に再チェックするまで、チャネル捕捉制御データ２３０を生成しないのが望ましい。
【００２０】
メモリ２３４は、例えば、ここに参考資料として包含されるＣＤＭＡ２０００の仕様に記載されるような送信機のために、送信電力制御情報２３２を格納する任意の適切なレジスタまたは他の任意の適切なメモリとすることができる。
【００２１】
図３は、非同報通信チャネルを捕捉する１つの方法の例に関するフローチャートを示す。このプロセスは、ブロック３００において、受信機チャネル要素２１２と合成器２１４とを、割り当てられた非同報通信チャネルに対して設定しトラヒック・フレームが受信されるのを待つことによって開始する。ブロック３０２に示されるように、この方法は、割り当てられた非同報通信チャネルが捕捉可能かどうか判定する段階を含む。これは、例えば、複数の許容可能な連続する非同報通信チャネル・フレームが検出されたかどうか判定する段階を含む。技術上知られるように、ビタビ復号器２１８は、非同報通信チャネル・フレームを正確に受信したことを表示する。ブロック３０４に示されるように、複数の良好な連続フレームが検出されなかった場合には、この方法は、順方向パイロット信号が依然許容可能な品質かどうか判定する段階を含む。これは、例えば、順方向パイロット信号の品質を再チェックすることによって実施できる。これは、受信機チャネル要素からの出力を評価することによって実施される。ブロック３０６に示されるように、この方法は、品質の再チェック後、順方向パイロット信号が依然許容可能な品質であるかどうか判定する段階を含む。許容できない場合には、このプロセスは、パイロット・サーチャによってパイロットを再捕捉して、特定の受信パイロット信号に対してピーク・タイミング・ウインドウを判定する段階を含む。しかしながら、不良フレームが検出され、パイロット信号が許容可能な品質である場合には、この方法はブロック３０８に進み、これは、トラヒック送信電力制御情報２３２を基地局に送信して、割り当てられた非同報通信チャネルの電力を増加するように基地局に指示する段階を含む。したがって、ワイヤレス通信装置は、不良フレームを受信するときに発生するタイムアウト時間を待つ必要がない。その代わり、これは、たとえパイロット・エネルギーが十分な品質であっても、基地局のような送信機に、トラヒック・チャネルのために送信電力を増加するように事前に知らせる。このようにして、迅速な電力増加が発生する状態で、ワイヤレス通信装置は、非同報通信チャネル捕捉位相の間、送信電力制御情報の送出に応答して、適切な電力レベルを有する良好なフレームを、迅速に受信することができる。ブロック３１０に示されるように、このプロセスは、複数の連続フレームを捕捉する試みを効果的に続ける。しかしながら、複数の連続フレームが、例えば、タイミング・ウインドウ内で受信されない場合には、パイロット信号の再捕捉が発生する。しかしながら、タイムアウト時間中、この方法は、予め定められたタイムアウト時間が終了する前に、送信機にその送信電力を増加させて、非同報通信チャネルを適切に捕捉することを試みる段階を含む。
【００２２】
図４は、本発明の１実施例により非同報通信チャネルを捕捉する方法をより詳細に示す。ブロック４００に示されるように、この方法は、パイロット信号の捕捉を実施して、受信機チャネル要素を、適切なパイロット信号にロックさせる段階を含む。ブロック４０２に示されるように、この方法は、受信機チャネル要素の少なくとも１つが割り当てられる割当チャネルからのフレームを待つ段階を含む。ブロック４０４に示されるように、この方法は、良好なフレームが受信されたかどうか判定する段階を含む。良好なフレームが受信された場合には、このプロセスはブロック４０６に進み、これは、２つの連続フレームが受信されたかどうか判定する段階を含む。しかしながら、チャネルが適正に捕捉されたことを示すために、任意の適切な数の連続フレームを使用してもよい。ブロック４０８に示されるように、２つの連続フレームが受信された場合には、捕捉初期化状態の終了に達し、ワイヤレス通信装置はついで、送信局との従来型通信を実施する段階に進む。ブロック４０６に戻って参照し、１つのみの良好なフレームが受信された場合には、このプロセスはついで、もう１つの良好なフレームが受信されたかどうか判定する段階に続く。
【００２３】
ブロック４０４に戻って参照し、良好なフレームが受信されなかった場合には、この方法は、順方向パイロット信号の品質を再チェックして、ブロック４１０に示されるように、依然適切な品質であるかどうか判定する段階を含む。したがって、パイロット信号が依然ロックされている場合には、当該受信機チャネル要素が依然、特定のパイロット・チャネルに対してロックされていることを意味し、この方法は、送信電力制御情報（例：電力制御ビット）がすでに送出されて、ブロック４１２に示されるように、電力を増加を示しているかどうかを判定する段階を含む。例えば、この方法は、送信電力制御情報が、ある期間にわたり、繰り返し送出されたかどうかを判定する段階を含む。捕捉送信電力制御ビット履歴は、チャネル捕捉位相の間、維持される。電力制御ビットの送出は一般に、基地局に対して、送信電力を１ｄＢ増加するように伝えることができる。基地局に、例えば、チャネル捕捉位相の間３回、電力を増加するように伝えられ、ＢＴＳに対し、電力を増加するようにすでに伝えられたことを示す場合には、このシステムは、次のフレームを待つ。１つの実施例では、送信電力を、３つの異なる回数で増加するように基地局に要求するのに３つのパス（ｐａｓｓ）が認められる。３つのパスの後、受信フレームが依然不十分な品質である場合には、ワイヤレス通信装置はついで、タイムアウトの発生を待ち、ついで、パイロット信号のロックを再確立することを試みる。
【００２４】
電力制御ビットが既に送出された場合には、この方法は、良好なフレームが受信されたかどうかを検出する段階を含む。チャネル捕捉制御データが送出されておらず、電力制御ビットが送出されて、信号送信電力を増加することを要求していない場合には、この方法は、送信電力制御情報２３２を基地局に送出することによって、逆パイロット・チャネルを介して、送信電力を増加するように基地局に知らせる段階を含む。これは、ブロック４１４に示される。したがって、この方法は、ブロック４００に示されるように、トラヒック・チャネルが捕捉可能かどうか判定する前に、順方向パイロット信号を評価する段階を含み、その後、ブロック４１０に示されるように、許容可能な数のトラヒック・チャネル・フレームが検出されなかった場合には、順方向パイロット信号の品質を再チェックする段階を含む。
【００２５】
ブロック４１０に戻って参照し、良好なフレームが受信されておらず、パイロット信号がロックされていない場合には、この方法は、ブロック４１６に示されるように、パイロット信号捕捉アルゴリズムまたは位相に戻ってパイロット信号を再捕捉する段階を含む。ブロック４１８に示されるように、ついで、例えば、チャネル割当メッセージを受信後に、別のチャネルが捕捉される必要がある場合に、このプロセスは開始する。
【００２６】
図２に戻って参照し、ワイヤレス通信装置は、移動局に組み込まれるか、または必要に応じて、基地局に組み込むことができる。例えば、基地局が呼を発信する状態で使用されるときのように、基地局に組み込まれる場合には、チャネル捕捉を取得するために、基地局によって同様の段階が実施される。さらにもう１つの例として、ワイヤレス通信装置が、基地局を含むワイヤレス・スペクトラム拡散通信システムの一部である移動局である場合には、非同報通信チャネルを捕捉する方法は、移動局によって、ページング・チャネルを介して、基地局からチャネル割当メッセージを受信する段階を含む。この時間中、移動局は、チャネル割当メッセージ内で特定された少なくとも１つの非同報通信チャネルに関連する順方向パイロット信号を受信する。移動局は、受信機チャネル要素を、チャネル割当メッセージに基づいて、割当チャネルに割り当てる。移動局は、不良の非同報通信チャネル・フレームの検出に応答して、非同報通信チャネル捕捉の待ち時間を短縮する。移動局は、割り当てられたパイロット・チャネルに基づいて、非同報通信チャネルを受信するように割り当てられた受信機チャネル要素が、順方向パイロット信号に依然ロックされているかどうか判定すること、および受信機チャネル要素が既に順方向パイロット信号に対してロックされている場合には、割当チャネルの送信電力を増加して、非同報通信チャネルの捕捉を容易化するように基地局に知らせることによって、非同報通信チャネル捕捉の待ち時間を短縮する。この方法はまた、受信チャネル要素が、順方向パイロット信号に対してロックされていない場合には、不良のフレームの検出に応答して、順方向パイロット信号に対してロックを試みる段階を含む。（例えば、図４を参照）。この方法はまた、複数の連続するチャネル・フレームの検出に応答して、チャネルの捕捉を表示する段階を含む。
【００２７】
上記の方法とワイヤレス通信装置は、非同報通信チャネル捕捉がなぜ成功しなかったか考えられる理由を効果的に検出し、非同報通信チャネル捕捉手順の間、送信電力を増加して、次のフレームが送出されるのを待つように送信機に知らせることを試みる。これは、ワイヤレス通信装置が、非同報通信チャネルを捕捉するための不必要な待ち時間を短縮するのに役立つ。既述のように、この方法は、例えば、適切にプログラムされた装置を用いて、ソフトウェア・アルゴリズムにより実施できるか、または他の適切な構成を用いて実現できる。さらに、この方法は、順方向トラヒック・チャネルを含む任意の適切なチャネル、および専用制御チャネルのために使用できる。
【００２８】
本発明の他の変形および修正が種々の態様で実現されることは、当業者には明白であり、かつ本発明は、既述の特定の実施例に限定されないことを理解されたい。よって、ここに開示され請求される基本原則の精神および範囲に属するすべての変形および修正またはこれに相当するものは、本発明の対象となる。
【００２９】
【図面の簡単な説明】
【図１】本発明の１実施例によるチャネル捕捉方法を使用するワイヤレス・スペクトラム拡散通信システムを示すブロック図である。
【図２】本発明の１実施例による非同報通信チャネル捕捉モジュールを使用するワイヤレス通信装置の１例を示すブロック図である。
【図３】本発明の１実施例によるワイヤレス・スペクトラム拡散通信システムにおいて、非同報通信チャネルを捕捉する方法の１例を示すフロー図である。
【図４】本発明の１実施例によるワイヤレス・スペクトラム拡散通信システムにおいて、非同報通信チャネルを捕捉する方法の１例を示すフロー図である。
【図１】
2004538668.tif 000003
【図２】
2004538668.tif 000004
【図３】
2004538668.tif 000005
【図４】
2004538668.tif 000006
【国際公開パンフレット】
2004538668.tif 000007
2004538668.tif 000008
2004538668.tif 000009
2004538668.tif 000010
2004538668.tif 000011
2004538668.tif 000012
2004538668.tif 000013
2004538668.tif 000014
2004538668.tif 000015
2004538668.tif 000016
2004538668.tif 000017
2004538668.tif 000018
2004538668.tif 000019
2004538668.tif 000020
2004538668.tif 000021
2004538668.tif 000022
2004538668.tif 000023
2004538668.tif 000024
2004538668.tif 000025
2004538668.tif 000026
2004538668.tif 000027
2004538668.tif 000028
2004538668.tif 000029
【国際調査報告】
2004538668.tif 000030